(57)【特許請求の範囲】
【請求項１】
マルチファンクションキー型のアクチュエータ部材であって、並進方向および回転方向の可動性が制限されるように取り付けられた剛性のボタンと、複数の作動部位を有する別個の検出器構成部品とから成り、前記ボタンが、使用者がボタンに加えた圧力の位置、大きさ、および／または方向に応じて、それぞれ前記構成部品の前記作動部位のうちのそれぞれ１つと接触するように構成された形成物を下側に備えており、アクチュエータ部材が、三角形の隅に配置された３つの作動部位（４、４’、５）を備えること、前記作動部位（４、４’）のうち最初の２つの間に配置された非作動支承部位（７）が、単独でまたは第３の部位（５）とともに、対応する形成物（６または６’）が前記作動部位（４、４’）の一方と接触して作動させるまで、それぞれの側にある前記最初の２つの作動部位（４、４’）の一方に向けて、前記非作動部位（７）を支点として回転することによって、前記ボタン（２）が傾動できるようにすること、ならびに第３の作動部位（５）を作動させる閾値圧力値が、前記最初の２つの作動部位（４および４’）を作動させる閾値圧力値の少なくとも約２倍の大きさであることを特徴とするアクチュエータ部材。
【請求項２】
非作動部位（７）が、第３の作動部位（５）とともにボタン（２）のピボットエッジまたは仮想回転軸を規定し、３つの作動部位（４、４’、５）が二等辺三角形の隅に配置され、非作動部位（７）が、最初の２つの作動部位（４および４’）の間を延びる前記三角形の底辺の中央にあることを特徴とする、請求項１に記載のアクチュエータ部材（１）。
【請求項３】
最初の２つの作動部位（４および４’）を作動させる閾値圧力値がほぼ等しいことを特徴とする、請求項１に記載のアクチュエータ部材（１）。
【請求項４】
非作動支承部位（７）が、最初の２つの作動部位（４および４’）よりも突き出ている形成物にあり、また、ボタン（２）の下側の対応する形成物（６”）が、好ましくはボタン（２）を押圧または押下することによって、第３の作動部位（５）と接触して作動させるまで、その下側の適切な形成物（８）が前記部位（７）の接触領域上で支承される状態で回転することによって、ボタン（２）を第３の作動部位（５）に向けて傾動できるようにすることを特徴とする、請求項１に記載のアクチュエータ部材（１）。
【請求項５】
形成物（６、６’、６”）の接触領域、および／または作動部位（４、４’、５）および非作動部位（７）の接触領域が、表面接触領域であることを特徴とする、請求項１に記載のアクチュエータ部材（１）。
【請求項６】
非作動支承部位（７）と、ボタン（２）の下側に位置する対応する向かい合う形成物（８）との間の接触が、点接触またはほぼ点接触であり、前記部位（７）または前記形成物（８）の接触領域が、表面接触領域であることを特徴とする、請求項１に記載のアクチュエータ部材（１）。
【請求項７】
第３の作動部位（５）と、ボタン（２）の下側の対応する形成物（６”）との間の接触が、点接触またはほぼ点接触であり、最初の２つの作動部位（４および４’）とボタン（２）の対応する形成物（６および６’）の間の接触も、点接触またはほぼ点接触であることを特徴とする、請求項６に記載のアクチュエータ部材（１）。
【請求項８】
形成物（６、６’、６”）が、半球型またはド−ム型の突き出した形成物であり、作動部位（４、４’、５）も突き出した形成物であり、形成物（６、６’、６”）とそれぞれ向かい合う作動部位（４、４’、５）の累積高さが、非作動支承部位（７）とボタン（２）の下側の対応する形成物（８）の累積高さと、ほぼ同一で等しいことを特徴とする、請求項６または７に記載のアクチュエータ部材（１）。
【請求項９】
最初の２つの作動部位（４、４’）が、メニューまたはテーブル内で反対方向にスクロールまたは移動する、反対のコマンドまたは機能に対応し、第３の作動部位（５）が、検証または確認のコマンドまたは機能に対応することを特徴とする、請求項１に記載のアクチュエータ部材（１）。
【請求項１０】
圧力検出器部品（３）が、一体型構造であり、ボタン（２）を透過によって照明する構成部品を収容する、ボタンの方向に開いた空洞または貫通開口（３’）を備え、ボタンが透過性材料製であることを特徴とする、請求項１に記載のアクチュエータ部材（１）。
【請求項１１】
ボタン（２）がインサート成形によって取り付けられていることを特徴とする、請求項１に記載のアクチュエータ部材（１）。
【請求項１２】
多数のキー、および装置の表示手段上に表示される複数の機能を選択するための少なくとも１つのマルチファンクションキー、例えばナビゲーションキーを備えるキーパッドを含む装置であって、マルチファンクションキーが、並進方向および回転方向の可動性が制限されるように取り付けられた剛性のボタンと、３つの作動部位を有する別個の検出器構成部品から成るアクチュエータ部材（１）とを含み、前記ボタンが、それぞれ三角形の隅に配置された前記構成部品の作動部位（４、４’、５）のうちのそれぞれ１つと接触するようにされた形成物を下側に備え、非作動部位（７）が前記部位（４、４’）のうち最初の２つの間に配置され、単独でまたは第３の部位（５）とともに、対応する形成物（６または６’）が、作動させるために前記作動部位（４、４’）の一方と接触するまで、それぞれ反対側に位置する前記最初の２つの作動部位（４、４’）の一方に向けて、前記非作動部位（７）を支点として回転することによって、前記ボタン（２）を傾動させることができること、ならびに第３の作動部位（５）を作動させる閾値圧力値が、前記最初の２つの作動部位（４および４’）を作動させる閾値圧力値の少なくとも約２倍の大きさであることを特徴とする装置。
【請求項１３】
ボタン（２）が、キーパッド（９）の製作中に、インサート成形によって他のキーと一体に製作されることを特徴とする、請求項１２に記載の装置。
【発明の詳細な説明】
【０００１】
【発明の属する技術分野】
本発明は、電子機器または電子装置のための、特にデータ処理装置または通信装置のキーまたはキーパッドのためのアクチュエータ部材に関し、ナビゲータタイプのアクチュエータ部材、およびこのような部材を少なくとも１つ備えるキーパッドを含む装置を提供する。
【０００２】
【従来の技術】
このような装置は、特に以下の群に属する。すなわち、固定電話または移動体電話、スマートフォン、携帯情報端末（personal digital assistant）、デスクトップ型、ポータブル型またはポケット型コンピュータ、リモートコントローラの群に属する。
【０００３】
現在の大部分のマルチファンクションキーまたはナビゲーションキーのアクチュエータ部材は、装置のキーパッドのキーの下にある電子回路カード上に取り付けられ、事前に組み付けられたサブアセンブリの形をとり、ボタンと検出器の作動構成部品(active component)とが確実に相互接続し協働できるようにする（図１および図２参照）。
【０００４】
このアクチュエータ部材には、２つの主要な欠点がある。すなわち、全てのキーパッド部材の見える部分の色が同じであり、アクチュエータ部材が、時には他のキーおよび／またはキーパッド本体に合わない、ならびに、ボタンが、キーパッドのハウジングやエンベロープ内の対応する開口部と、最適に確実に中心合せまたは位置合せされておらず、開口部を密封するクロージャにならない。
【０００５】
これらの欠点を軽減しようとする試みでは、キーパッドのハウジング内にボタンと作動構成部品のサブアセンブリを取り付け、ばねによってキーの下にある電子回路カードに作動構成部品を接続することが提案されてきた（図３および図４参照）。
【０００６】
この場合、ハウジングおよび他のキーの色に合うようにボタンの色を選択し、同じ製作段階中に、サブアセンブリと他のキーとをキーパッドのハウジングに組み付けることが可能である。また、位置ずれの可能性があるのは、サブアセンブリとカードの間だけであり、したがって使用者の目に付かない。
【０００７】
しかし、一般にボタンとキーが同じ製造業者によって生産されることはないので、他のキーと同じ色のボタンを選択するのは、困難であり、不可能でさえもある。
【０００８】
その上、この解決方法によって、サブアセンブリの事前組立て作業が特殊で厄介なものになり、キーパッドのハウジングと電子回路カードとの間で、特殊な物理的接続が必要になる。
【０００９】
【発明が解決しようとする課題】
本発明の一目的は、ボタンと作動構成部品とを別個に製作することができ、その後の物理的組立てを必要とせず、どんな物理的接続によっても接続されない、上記で述べたタイプのアクチュエータ部材を提案することによって、前記欠点を軽減することである。これらのことは全て、前記部材によって与えることができる様々なコマンド間の演算および全体的な識別の高い信頼性を保証することによって達成される。
【００１０】
【課題を解決するための手段】
この目的のために、本発明は、マルチファンクションキー型の、特にナビゲーションキー型のアクチュエータ部材であって、並進方向および回転方向の可動性が制限されるように取り付けられた剛性のボタンと、複数の作動部位（ａｃｔｉｖｅ  ｓｉｔｅ）、例えば圧力感知部位を有する別個の検出器構成部品とから成り、前記ボタンが、使用者がボタンに加える圧力の位置、強さ、および／または方向に応じて、前記構成部品の前記作動部位のうちの１つとそれぞれ接触するようにされた形成物をその下側に有し、アクチュエータ部材が、三角形の隅に配置された３つの作動部位を備えること、ならびに前記作動部位の最初の２つの間に配置された非作動支承部位（ｎｏｎ−ａｃｔｉｖｅ  ｂｅａｒｉｎｇ  ｓｉｔｅ）が、単独でまたは第３の部位とともに、対応する形成物が前記作動部位の一方と接触して、例えばそれを押圧または押下することによって作動させるまで、それぞれの側面に位置する前記最初の２つの作動部位の一方に向けて前記非作動部位を支点として回転することによって、前記ボタンを傾動できるようにすることを特徴とする。
【００１１】
本発明は、本発明の好ましい一実施形態に関するものであり、非限定的な例によって示し、添付の図面に関連して説明する、以下の説明からより良く理解されよう。
【００１２】
【発明の実施の形態】
添付の図面の図５および図７に示すように、アクチュエータ部材１は、マルチファンクションキー型、特にナビゲーションキー型であり、かつ並進方向と回転方向の可動性が制限されるように取り付けられた剛性のボタン２と、複数の圧力検知作動部位４、４’、５を備える別個の検出器構成部品３とから成り、前記ボタン２は、使用者がボタン２に加えた圧力の位置、強度、および／または方向に応じて、それぞれ前記構成部品の作動部位４、４’、５のうちの１つと接触するようになっている形成物６、６’、６”をその下側に有する。
【００１３】
本発明によると、前記部材１の検出器構成部品３は、三角形の隅に配置された３つの作動部位４、４’、５を有し、前記最初の２つの部位４、４’の間に非作動支承部位７があり、それ自体でまたは第３の部位５とともに、対応する形成物６、６’が、前記２つの作動部位４、４’の一方と接触して、好ましくは押圧または押下することによってそれを作動させるまで、その反対側にそれぞれ位置する前記最初の２つの作動部位４、４’の一方に向けて、前記非作動部位７を支点として回転することによって前記ボタン２を傾動させることができるが、他の形態で作動させることも可能である。
【００１４】
これらの構成により、２つの構成部品を受ける装置の組み立て中に、所与の相対配置になったときにのみ協働する、独立して製作された２つの構成部品を、２つの構成部品の間の物理的な接続なしで、結合させることによって部材１を製作することが可能である。
【００１５】
さらに、非作動すなわち作動しない支承部位７は、最初の２つの部位４および４’を同時に作動することを妨げる物理的制約を与える。
【００１６】
本発明の一特徴によると、部材１の操作を容易にするために、非作動部位７は、第３の部位５とともにボタン２のピボットエッジまたは仮想回転軸を規定する。したがって、精確な圧力をボタン２に加えて、部位４または４’を作動させる必要はない。重要なのは、どちらの側が押されたのかである。
【００１７】
添付の図面の図６で示すように、３つの部位４、４’、５は、好ましくは二等辺三角形の隅に配置され、非作動支承部位７は、最初の２つの作動部位４と４’の間を延びる前記三角形の底辺の中心に配置される。
【００１８】
さらに、圧力検知作動部位４、４’、４”に基づく本発明の有利な実施形態では、最初の２つの作動部位４、４’に対する作動閾値圧力値は、ほぼ一致しており、第３の部位５に対する作動閾値圧力値は、有利には前記最初の２つの部位４、４’に対するものよりもかなり大きく、好ましくは少なくとも２倍である。
【００１９】
この後者の構成は、一方では最初の２つの作動部位４、４’の間の、他方では第３の作動部位４”の、２つのレベルの識別を達成する。前述の非作動すなわち作動しない支承部位７の与える物理的な識別とともに、このことにより、使用者が前述の３つの作動部位のうちの２つを同時に作動させることは、ボタン２に加える圧力の方向、作用点、大きさにかかわらず不可能になる。
【００２０】
特に添付の図面の図５Ａおよび５Ｂに示す好ましい実施形態では、非作動支承部位７は、最初の２つの作動部位４および４’に対して突き出ている形成物にあり、ボタン２の下側の対応する形成物６”が、作動部位５と接触し、下側の適切な形成物８が部位７の接触領域上で支承される状態で回転することによって、好ましくはボタン２を押圧または押下することによって作動させるまで、ボタン２を第３の作動部位５に向けて傾動できるようにする。
【００２１】
その代わりに、非作動支承部位７が、やはりボタン２の下側の他の形成物６、６’、６”よりも高い形成物８と協働する、構成部品３の突き出ていない支承領域から成っていてもよく、それによって、構成部品３上のボタン２の優先的な支承点を構成し、前述の第１の実施形態の場合と同様に、向かい合う最初の２つの部位４、４’上の形成物６および６’による同時の支持を妨げ、中央に高い圧力を加えられた場合に、最初の２つの部位を固定して第３の部位５を作動させる。
【００２２】
添付の図面の図５から７に示すように、形成物６、６’、６”の接触領域および／または、作動部位４、４’、４”および非作動部位７の接触領域は、表面接触領域である。
【００２３】
作動部位４、４’、５および／または向かい合う形成物６、６’、６”の表面接触領域は、ボタン２と構成部品３との間のどんな横方向、長手方向の位置ずれでも補償する能力によって、アクチュエータ部材１が確実に動作できるようにする。（図５Ａおよび５Ｂ、７Ａ、７Ｂおよび７Ｃ参照）。
【００２４】
図５Ａおよび５Ｂでは、上記で述べた補償能力を例示するために、不十分な組み立て状況として、意図的にボタン２および構成部品３を互いにずらしてある。
【００２５】
形成物６、６’、６”および８と部位４、４’、５および７との間の接触領域は、様々な形状、例えば平らな形状（図７）をとり、使用者がボタン２を操作できるようにするが、少なくとも非作動支承部位７とボタン２の下側の対応する向かい合う形成物８との間の接触が、点接触またはほぼ点接触を形成し、前記部位７の、または前記形成物８の接触領域が、表面接触領域であることが好ましい。
【００２６】
ボタン２をさらに快適に操作できるようにするためには、特に部位４および４’を、部位７および５を支点としてボタンを回転させることによって作動させるためには、第３の作動部位５とボタン２の下側の対応する形成物６”との間の接触も、点接触またはほぼ点接触を形成し、最初の２つの作動部位４および４’とボタン２の対応する形成物６および６’の接触も、点接触またはほぼ点接触を形成する。
【００２７】
添付の図面の図５Ａおよび５Ｂに示す本発明の好ましい実施形態では、形成物６、６’、６”および８は、半球状またはドーム型の突き出した形成物であり、作動部位４、４’、４”もまた、突き出した形成物であってもよく、形成物６、６’、６”と、それぞれ対向する作動部位４、４’、５の累積高さは、非作動支承部位７と、ボタン２の下側の対応する形成物８の累積高さとほぼ同一で等しい。
【００２８】
もちろん、その代わりに、部位４、４’、５および７が、等しくドーム型の構造から成っていてもよく、形成物６、６’、６”および８の接触領域が、表面接触領域であってもよく、または上記に述べた両タイプの構造が、前記部位および前記形成物の組み合わせであってもよい。
【００２９】
本発明の一特徴によると、最初の２つの作動部位４および４’は、例えばメニューまたは表を反対の方向にスクロールまたは移動する、反対のコマンドまたは機能に対応し、第３の作動部位５は、検証または確認のコマンドまたは機能に対応する。
【００３０】
圧力検出器部品３は、好ましくは一体型構造であり、透過によってボタン２を照明する構成部品を収容する、ボタンの方向に開いた空洞または貫通開口３’を備える。ボタンは透過性材料製であり、インサート成形によって取り付けられている（図６Ａおよび６Ｂ参照）。
【００３１】
図７は、使用者が加える圧力の大きさおよび方向に応じて、部位４、４’、および５が作動される、または作動されない様々な場合を示す。
【００３２】
図７Ａおよび７Ｃでは、加えられた力の方向、衝突面積、および大きさが、部位４’、５をそれぞれ作動させるするように構成されている。
【００３３】
図７Ｂでは、加えられた力の大きさは、部位５を作動させるには不十分である。
【００３４】
本発明は、複数のキー２’、および少なくとも１つのマルチファンクションキー、例えば装置の表示手段に表示された複数の機能を選択するナビゲーションキーを備えるキーパッド９を有し、マルチファンクションキーが、上記に記載のアクチュエータ部材１であることを特徴とする装置も提供する。
【００３５】
ボタン２は、有利にはキーパッド９の製作中に、インサート成形によって他のキー２’と一体に製作され、検出器部品３は、その組み付けの後、キーパッド９のキー２’の下に配置された電子回路カード上に事前に取り付けられる。
【００３６】
様々なキー２’とボタン２を接続するフィルムまたはプレート２”の材料の弾性によって、ボタン２の制限された動きを容易にすることができる。
【００３７】
その代わりに、同等であるが、ボタン２を、キーパッド９から分離することもでき、それでも層に搭載された前面と、適切なカラーナビゲーションボタン２とを受け取るという利点は保持される。
【００３８】
もちろん、本発明は、説明し、添付の図面に示した実施形態に限定されるものではない。特に様々な構成部品または代用となる技術的均等物を構成するという点から、本発明の保護の範囲から逸脱することなしに様々な変更形態が可能である。
【図面の簡単な説明】
【図１】マルチファンクションキーまたはナビゲーションキーアクチュエータ部材の横立面図である。
【図２】マルチファンクションキーまたはナビゲーションキーアクチュエータ部材の部分断面図である。
【図３】キーパッドのハウジング内のボタンと作動構成部品とのサブアセンブリの横立面図である。
【図４】キーパッドのハウジング内のボタンと作動構成部品とのサブアセンブリの部分断面図である。
【図５Ａ】本発明によるアクチュエータ部材の好ましい実施形態を備えるキーパッドの一部分のある方向での横立面図である。
【図５Ｂ】本発明によるアクチュエータ部材の好ましい実施形態を備えるキーパッドの一部分の直交する別の方向での部分断面図である。
【図６Ａ】図５に示すアクチュエータ部材の部分を形成する検出器構成部品の平面図である。
【図６Ｂ】図５に示すアクチュエータ部材の部分を形成する検出器構成部品の斜視図である。
【図７Ａ】本発明の別の実施形態に関して、使用者による異なる圧力の適用に応じた本発明によるアクチュエータ部材の反応を示す図５と同様の側面図である。
【図７Ｂ】本発明の別の実施形態に関して、使用者による異なる圧力の適用に応じた本発明によるアクチュエータ部材の反応を示す図５と同様の側面図である。
【図７Ｃ】本発明の別の実施形態に関して、使用者による異なる圧力の適用に応じた本発明によるアクチュエータ部材の反応を示す図５と同様の側面図である。
【符号の説明】
１  アクチュエータ部材
２、２’  ボタン
２”  フィルムまたはプレート
３  圧力検出器構成部品
４、４’、４”、５  作動部位
６、  ６’、６”、８  形成物
７  非作動部位
９  キーパッド
【図１】
0003960783.tif 000002
【図２】
0003960783.tif 000003
【図３】
0003960783.tif 000004
【図４】
0003960783.tif 000005
【図５Ａ】
0003960783.tif 000006
【図５Ｂ】
0003960783.tif 000007
【図６Ａ】
0003960783.tif 000008
【図６Ｂ】
0003960783.tif 000009
【図７Ａ】
0003960783.tif 000010
【図７Ｂ】
0003960783.tif 000011
【図７Ｃ】
0003960783.tif 000012